(57)【特許請求の範囲】
【請求項１】
支柱（２）間に複数段の棚材（３）を取り付けたラック（Ｒ）の出入口（Ｒａ）に配置される物品落下防止装置であって、
左右縦杆（５）とそれを連結する上下横杆（６）とで枠形状に形成されていてラック（Ｒ）の出入口（Ｒａ）を開閉自在に塞ぐ落下防止枠（７）と、この落下防止枠（７）の基部側をラック（Ｒ）の支柱（２）に枢支する上下一対の枢支具（８）と、落下防止枠（７）の自由端側をラック（Ｒ）の棚材（３）に連結する連結具（９）とを有しており、
前記上下各枢支具（８）は、支柱（２）に装着される取付材（１１）と、上下方向に貫通した四角管材で形成されていて前記取付材（１１）に固定された台体（１２）と、この台体（１２）と落下防止枠（７）とを連結する蝶番（１３）と、前記台体（１２）の上下外方の取付材（１１）の上下部分を支柱（２）に取り付ける締結具（１４）とを有することを特徴とする物品落下防止装置。
【請求項２】
前記落下防止枠（７）は、左右縦杆（５）間に上下横杆（６）を連結する補助縦杆（１６）を有する、及び／又は、上下横杆（６）間に左右縦杆（５）を連結する補助横杆（１７）を有することを特徴とする請求項１に記載の物品落下防止装置。
【請求項３】
前記連結具（９）は、ラック（Ｒ）の棚材（３）の前面に取り付けた掛止部材（２０）と、落下防止枠（７）の縦杆（５）に支持されていて上下動又は回動することにより前記掛止部材（２０）と掛合・離脱自在に掛合するロック部材（２１）とを有し、前記掛止部材（２０）には落下防止枠（７）を出入口塞閉姿勢にしたときに落下防止枠（７）と当接する当接部（２０ａ）を形成していることを特徴とする請求項１又は２に記載の物品落下防止装置。
【請求項４】
前記落下防止枠（７）は、左右縦杆（５）間を塞ぐ落下防止網（２３）を着脱自在に設けていることを特徴とする請求項１〜３のいずれか１項に記載の物品落下防止装置。
【請求項５】
前記落下防止枠（７）は、縦杆（５）の上部に追加縦杆（２４）を着脱自在に設けていることを特徴とする請求項１〜４のいずれか１項に記載の物品落下防止装置。
【請求項６】
前記上下各枢支具（８）の台体（１２）には、蝶番（１３）を固定した面と左右反対面に、支柱（２）を境にして反対側のラック（Ｒ）の出入口（Ｒａ）を開閉自在に塞ぐ落下防止枠（７）を枢支する蝶番（１３）を設けていることを特徴とする請求項１〜５のいずれか１項に記載の物品落下防止装置。
【発明の詳細な説明】
【技術分野】
【０００１】
本発明は、ラックの出入口に配置される物品落下防止装置に関する。
【背景技術】
【０００２】
ラック用物品落下防止装置は、特許文献１に開示されているように、物品を載せる棚枠と物品を出し入れする開口部とを備えた収納棚において、開口部からの物品の落下を防止する上下に長い落下防止枠と、落下防止枠を開口部に臨む作用位置と開口部を開く非作用位置とに左右へ移動可能に支持する支持部材と、作用位置の落下防止枠を棚枠の開口部側端部に保持する保持具とを備え、前記保持具に、落下防止枠が嵌合する横開きの凹部と、凹部に落下防止枠を閉じ込める錠止部材とを設け、前記支持部材に、落下防止枠を吊り下げる索条を用いている（請求項３）。
【先行技術文献】
【特許文献】
【０００３】
【特許文献１】特許第４７４６９００号公報
【発明の概要】
【発明が解決しようとする課題】
【０００４】
前記従来技術の落下防止枠は１本の鋼製パイプで形成されていて、これを索条で吊り下げかつ移動するように構成しているので、構造が簡単であるが強度が低く、開口部に臨む作用位置への索条による左右移動が困難であり、しかも索条は一端が天井に連結されているので、施工も困難になっている。
また、前記従来技術では、落下防止枠を上下台車に連結して左右移動させる技術もあるが、左右移動させる構造であると、落下防止枠は１本の鋼製パイプで形成しなくてはならなく、開口部を広い範囲で塞ぐことが困難になっている。
【０００５】
本発明は、このような従来技術の問題点を解決できるようにした物品落下防止装置を提供することを目的とする。
本発明は、落下防止枠をラックの支柱に枢支具を介して枢支することにより、落下防止枠を回動開閉構造にしてかつ強固に構成でき、施工も容易な物品落下防止装置を提供することを目的とする。
【課題を解決するための手段】
【０００６】
本発明における課題解決のための具体的手段は、次の通りである。
第１に、支柱２間に複数段の棚材３を取り付けたラックＲの出入口Ｒａに配置される物品落下防止装置であって、
左右縦杆５とそれを連結する上下横杆６とで枠形状に形成されていてラックＲの出入口Ｒａを開閉自在に塞ぐ落下防止枠７と、この落下防止枠７の基部側をラックＲの支柱２に枢支する上下一対の枢支具８と、落下防止枠７の自由端側をラックＲの棚材３に連結する連結具９とを有しており、
前記上下各枢支具８は、支柱２に装着される取付材１１と、上下方向に貫通した四角管材で形成されていて前記取付材１１に固定された台体１２と、この台体１２と落下防止枠７とを連結する蝶番１３と、前記台体１２の上下外方の取付材１１の上下部分を支柱２に取り付ける締結具１４とを有することを特徴とする。
【０００７】
第２に、前記落下防止枠７は、左右縦杆５間に上下横杆６を連結する補助縦杆１６を有する、及び／又は、上下横杆６間に左右縦杆５を連結する補助横杆１７を有することを特徴とする。
第３に、前記連結具９は、ラックＲの棚材３の前面に取り付けた掛止部材２０と、落下防止枠７の縦杆５に支持されていて上下動又は回動することにより前記掛止部材２０と掛合・離脱自在に掛合するロック部材２１とを有し、前記掛止部材２０には落下防止枠７を出入口塞閉姿勢にしたときに落下防止枠７と当接する当接部２０ａを形成していることを特徴とする。
【０００８】
第４に、前記落下防止枠７は、左右縦杆５間を塞ぐ落下防止網２３を着脱自在に設けて
いることを特徴とする。
第５に、前記落下防止枠７は、縦杆５の上部に追加縦杆２４を着脱自在に設けていることを特徴とする。
第６に、前記上下各枢支具８の台体１２には、蝶番１３を固定した面と左右反対面に、支柱２を境にして反対側のラックＲの出入口Ｒａを開閉自在に塞ぐ落下防止枠７を枢支する蝶番１３を設けていることを特徴とする。
【発明の効果】
【０００９】
本発明によれば、落下防止枠を回動開閉構造にしてかつ強固に構成でき、施工も容易にできる。
即ち、請求項１に係る発明は、ラックＲの出入口Ｒａを開閉自在に塞ぐ落下防止枠７を上下一対の枢支具８で支柱２に枢支し、枢支具８を取付材１１と、四角管材で形成された台体１２と、蝶番１３と、台体１２の上下外方の取付材１１の上下部分を支柱２に取り付ける締結具１４とで構成しているので、落下防止枠７を左右縦杆５とそれを連結する上下横杆６とで矩形枠を強固に構成でき、落下防止枠７を枢支具８で回動開閉が容易にでき、しかも枢支具８を簡単に構成して支柱２に容易に取り付けることができ、施工が容易になる。
【００１０】
請求項２に係る発明は、落下防止枠７は左右縦杆５間に上下横杆６を連結する補助縦杆１６を有する、及び／又は、上下横杆６間に左右縦杆５を連結する補助横杆１７を有するので、落下防止枠７をより強固に構成でき、かつ小物の物品も落下防止できる。
請求項３に係る発明は、連結具９に当接部２０ａを形成しているので、落下防止枠７を出入口塞閉姿勢にしたときに落下防止枠７を適正位置に停止でき、掛止部材２０とロック部材２１との掛合作用も確実にできる。
【００１１】
請求項４に係る発明は、落下防止枠７に左右縦杆５間を塞ぐ落下防止網２３を着脱自在に設けているので、小物の物品も落下防止できる。
請求項５に係る発明は、落下防止枠７に縦杆５の上部に追加縦杆２４を着脱自在に設けているので、落下防止枠７より上方の棚材３上の物品の落下防止もできる。
請求項６に係る発明は、台体１２には、蝶番１３を固定した面と左右反対面に蝶番１３を設けているので、支柱２を境にして反対側のラックＲの出入口Ｒａを開閉自在に塞ぐ落下防止枠７を枢支することができ、枢支具８を兼用使用できる。
【図面の簡単な説明】
【００１２】
【図１】本発明の実施形態を示す全体正面図である。
【図２】同全体平面図である。
【図３】物品落下防止装置の正面図である。
【図４】物品落下防止装置の側面図である。
【図５】物品落下防止装置の平面図である。
【図６】枢支具の拡大正面図である。
【図７】枢支具の拡大側面図である。
【図８】図７のＸ−Ｘ線断面図である。
【図９】連結具の上部を示す平面図である。
【図１０】連結具のハンドルを示す断面平面図である。
【図１１】連結具の下部を示す平面図である。
【図１２】物品落下防止枠の他例を示す正面図である。
【発明を実施するための形態】
【００１３】
以下、本発明の実施の形態を図面に基づいて説明する。
図１〜１２において、物品落下防止装置１はラックＲの支柱２に取り付けられている。
ラックＲは、複数本の支柱２を立設しておいて、下段、中段、上段等複数段に棚材３を取り付けて構成され、各段の棚材３は、ラックＲの支柱２間が物品を出し入れする出入口Ｒａとなっており、物品落下防止装置１は出入口Ｒａに回動開閉自在に配置されて、地震時に出入口Ｒａから物品が落下するのを阻止する。
【００１４】
ラックＲは２本の支柱２間に幅の広い出入口Ｒａを形成する場合、左右各支柱２に物品落下防止装置１を対称状に装着し、左右落下防止枠７を観音開き状に開閉する。図１にお
いては、落下防止枠７の上部構造が異なる２種類を、物品落下防止装置１Ａ、物品落下防止装置１Ｂとして例示している。
ラックＲに３本以上の支柱２が有る場合、中間の支柱２には２台の物品落下防止装置１Ａを背中合わせ対称状に装着する。
【００１５】
物品落下防止装置１（１Ａ、１Ｂ）は、大別して、落下防止枠７（７Ａ、７Ｂ）と、上下一対の枢支具８と、連結具９とを有している。
落下防止枠７は、四角管材（四角パイプ）製の左右一対の縦杆５と、左右縦杆５の上下端部を連結する上下一対の横杆６とで四角枠形状に形成されている。縦杆５と横杆６とはともに四角パイプであり、溶着されている。上下横杆６はそれぞれ上下棚材３より上方に位置している。
【００１６】
物品落下防止装置１Ａの落下防止枠７Ａは、出入口Ｒａの左右方向中央より（自由端側）の縦杆５が、支柱２に近い基部側の縦杆５より上方に長く形成されており、出入口Ｒａの中央側でより確実に物品の落下を規制できるようにしている。但し、基部側の縦杆５の上部に１本の追加縦杆２４を差し込み着脱自在に設けてもよい。
物品落下防止装置１Ｂの落下防止枠７Ｂは、２本の縦杆５の上部に互いに連結された２本の追加縦杆２４を差し込み着脱自在に設けている。
【００１７】
前記落下防止枠７（７Ａ、７Ｂ）は、左右縦杆５間の中間位置に上下横杆６を連結する補助縦杆１６が設けられている。この補助縦杆１６に加えて、又は代わりに、図１、３に仮想線で示すように、上下横杆６間に左右縦杆５を連結する補助横杆１７を設けてもよい。
落下防止枠７は左右各縦杆５が四角パイプ製であるので、各縦杆５の上部に追加縦杆２４を容易に着脱自在に設けることができ、落下防止枠７が下段及び中段の棚材３上の物品の落下防止する場合、追加縦杆２４によって、上段の棚材３上の物品の落下防止ができる。左右の追加縦杆２４間に落下防止網を取り付けたりしてもよい。
【００１８】
左右縦杆には上下複数箇所にフック３０が設けられていて、このフック３０を介して落下防止網２３が着脱自在に設けている。落下防止網２３は左右縦杆５間を塞ぎ、物品が小物であっても、出入口Ｒａから落下するのを阻止できる。
図１〜８において、上下一対の枢支具８は、落下防止枠７の基部側（枢支側）をラックＲの支柱２に枢支している。
【００１９】
上下各枢支具８は、支柱２に装着される取付材１１と、上下方向に貫通した四角管材で形成されていて前記取付材１１に固定された台体１２と、この台体１２と落下防止枠７とを連結する蝶番１３と、前記台体１２の上下外方で取付材１１を支柱２に取り付ける締結具１４とを有する。
前記取付材１１は平板で形成されており、台体１２は縦杆５と同様の四角パイプで形成され、この四角パイプを寸切りにして、孔が上下方向に貫通し、前後・左右に壁を有する姿勢で取付材１１の上下中央に溶着している。
【００２０】
台体１２が取付材１１の上下中央に位置するので、台体１２の上下外方の取付材１１の上下部分には締結具１４のボルトを挿通するボルト孔１１ａが形成でき、取付材１１は台体１２に妨害されることなく支柱２に装着することができる。従って、支柱２に対する落下防止枠７の取り付け施工が簡単かつ容易になっている。
蝶番１３は平蝶番であり、フランス蝶番でもよく、その一片は落下防止枠７の縦杆５に溶着（又はボルト固定）され、他片は台体１２の左右一方の側壁の外面にボルト３１を介して固定（又は溶着）されている。
【００２１】
前記台体１２は、図１、４に仮想線で示すように、蝶番１３を固定した面と左右反対側の側壁の外面にも、蝶番１３を取り付けることができる。これにより、ラックＲの中間の支柱２に、２台の物品落下防止装置１Ａを背中合わせ対称状に装着する場合、枢支具８の取付材１１と台体１２とを兼用することができる。
図１〜５、９〜１１において、連結具９は、ラックＲの上下の棚材３の前面に取り付けた掛止部材２０（２０Ｕ、２０Ｄ）と、落下防止枠７の縦杆５に支持されたロック部材２１とを有する。掛止部材２０Ｄは、棚材３の前面に取り付けられる取付板３３に掛止板３
４を側面視Ｔ字状に溶着している。
【００２２】
掛止部材２０Ｕは、図９に示すように、掛止板３４は平面視四角形状であり、掛止孔３５が形成され、外面は落下防止枠７の縦杆５が当接する当接部２０ａとなっている。
掛止部材２０Ｄは、図１１に示すように、掛止板３４は平面視Ｌ字形状であり、大きく突出した部分に掛止孔３６が形成され、凹部には落下防止枠７の縦杆５が当接する当接部２０ａが形成されている。
【００２３】
ロック部材２１は縦杆５に沿う縦長のロッドで形成され、縦杆５に設けた複数の案内部材３８に上下移動自在にかつ回動自在に支持されており、下端２１ａはストレート形状であるのに対して、上端には掛合フック２１ｂが形成され、下部にハンドル３９が取り付けられている。
落下防止枠７を閉鎖姿勢にして縦杆５を上下の当接部２０ａに当接した状態で、ロック部材２１は下端２１ａが掛止部材２０Ｄの掛止孔３６の真上に位置し、掛合フック２１ｂの下向きの爪が掛止部材２０Ｕの掛止孔３５の真上に位置し、この状態からロック部材２１を降下させると、下端２１ａが掛止孔３６と掛合し、掛合フック２１ｂが掛止孔３５と掛合する。
【００２４】
前記掛合状態からハンドル３９を持ってロック部材２１を上昇させると、下端２１ａと掛合フック２１ｂとはそれぞれの掛合が解除され、その解除状態からハンドル３９を持ってロック部材２１を回動すると、図９、１０に示すように、掛合フック２１ｂは掛止孔３５から外れ、ハンドル３９は縦杆５に設けた受け止め部材４０に載置可能になる。
受け止め部材４０は縦杆５に丸棒を溶着して形成されており、上昇位置のハンドル３９を受け止めて、ロック部材２１を連結解除位置に保持する役目をしている。
【００２５】
従って、ハンドル３９を受け止め部材４０に保持した状態で、落下防止枠７を出入口Ｒａ塞閉姿勢に閉鎖していくと、縦杆５が当接部２０ａに当接して出入口塞閉位置が確定され、その状態でハンドル３９を受け止め部材４０から離脱する方向に回動し、そしてロック部材２１を下降させると、下端２１ａと掛合フック２１ｂとが掛止部材２０の掛止孔３５、３６に掛合する。
【００２６】
これにより、落下防止枠７は棚材３から手前に離れた状態で出入口Ｒａを塞閉することになり、ロック部材２１と掛止部材２０との掛合により棚材３に対して強固に保持され、棚材３上の物品が重量物であっても、確実に落下を規制できる。
なお、本発明は前記実施形態における各部材の形状及びそれぞれの前後・左右・上下の位置関係は、図１〜１２に示すように構成することが最良である。しかし、前記実施形態に限定されるものではなく、部材、構成を種々変形したり、組み合わせを変更したりすることもできる。
【００２７】
例えば、落下防止枠７の左右縦杆５、上下横杆６等は四角パイプで形成されているが、丸パイプを用いてもよい。
連結具９は、ロック部材２１を上下動しかつ回動するようにしているが、受け止め部材４０を割愛して、ロック部材２１を上下動のみさせて、掛止孔３５、３６と掛合・離脱させるようにしてもよい。
【００２８】
また、連結具９は、上下掛止部材２０に横向きの掛止孔３５、３６（又は掛止突起）を形成しておき、ロック部材２１に横向きの掛合フック２１ｂを上下一対設けておき、ロック部材２１を回動するだけで上下掛止部材２０を掛止孔３５、３６と掛合・離脱させるようにしてもよい。
【符号の説明】
【００２９】
１      物品落下防止装置
２      支柱
３      棚材
５      縦杆
６      横杆
７      落下防止枠
８      枢支具
９      連結具
１１    取付材
１２    台体
１３    蝶番
１４    締結具
１６    補助縦杆
１７    補助横杆
２０    掛止部材
２０ａ  当接部
２１    ロック部材
２１ａ  下端
２１ｂ  掛合フック
２３    落下防止網
２４    追加縦杆
３０    フック
３１    ボルト
３３    取付板
３４    掛止板
３５    掛止孔
３６    掛止孔
３８    案内部材
３９    ハンドル
４０    受け持ち部材
Ｒ      ラック
Ｒａ    出入口
【図１】
0006426389.tif 000002
【図２】
0006426389.tif 000003
【図３】
0006426389.tif 000004
【図４】
0006426389.tif 000005
【図５】
0006426389.tif 000006
【図６】
0006426389.tif 000007
【図７】
0006426389.tif 000008
【図８】
0006426389.tif 000009
【図９】
0006426389.tif 000010
【図１０】
0006426389.tif 000011
【図１１】
0006426389.tif 000012
【図１２】
0006426389.tif 000013